(57)【特許請求の範囲】
【請求項１】
箱型形状の稜線の部分に、前記稜線に沿った方向に前記箱型形状の外側に向けた湾曲形状を有するアウターフレームと、
前記アウターフレームの内部に配置し、各種の機器を収納するインナーケースと、
前記アウターフレームの前記インナーケース側に配置し、前記インナーケースを支持する複数の弾性部材と、
を備えたことを特徴とする収納ラック。
【請求項２】
前記アウターフレームは、
前記箱型形状の角間に配置し、前記箱型形状の稜線に沿った方向に前記箱型形状の外側に向けて前記湾曲形状を有する複数のフレーム部材と、
前記箱型形状の角部に配置し、前記フレーム部材を接続する複数のフレーム部材接続部と、
を備えたことを特徴とする請求項１記載の収納ラック。
【請求項３】
前記アウターフレームは、
前記箱型形状の正面及び裏面の前記稜線の部分では、正面又は裏面から見て前記箱型形状の四角形の外側に向かった前記湾曲形状を有し、
前記箱型形状の側面の前記稜線の部分では、正面又は裏面から見て前記箱型形状の角の方向に外側に向かった前記湾曲形状を有する、
ことを特徴とする請求項２記載の収納ラック。
【請求項４】
前記弾性部材は、前記箱型形状の前記側面の稜線部分の前記フレーム部材に接続され、前記フレーム部材の撓みに基づいて圧縮される、
ことを特徴とする請求項３記載の収納ラック。
【請求項５】
前記弾性部材は、振動、衝撃吸収性のあるラバーを含む部材である、ことを特徴とする請求項１、２、３、又は４記載の収納ラック。
【発明の詳細な説明】
【技術分野】
【０００１】
本発明は、収納ラックに関し、通信機器、電子機器等の機器を搬送する際に収納可能な収納ラックに関する。
【背景技術】
【０００２】
一般に、収納ラックは、内部に通信機器、電子機器等の各種の機器が収納され、所定の場所に搬送・設置される。収納ラックの内部に収納された各種の機器は、収納ラックの設置された場所で使用される。収納ラックには、内部に収納した各種の機器を、収納ラックを搬送する際に生じる振動、衝撃等から保護することが望まれる。
【０００３】
搬送する際に生じる振動、衝撃等からこれらの機器を保護する技術が特許文献１に開示されている。特許文献１に開示の機器収納用ラックは、アウターラックとインナーラックからなる２重構造に構成される。インナーラックは、アウターラック内に設置され、インナーラック内に各種の機器を収容する。アウターラックとインナーラックとの間には複数の防振装置が介装され、各防振装置によりインナーラックを支持するようにしている。これにより、機器収納用ラックは、外部から振動や衝撃を受けても、この振動や衝撃を内部に伝わらないようにして、機器収納用ラックの内部に収納されている各種の機器を保護している。アウターラックとインナーラックとの間の各コーナー、又は各コーナーの付近に防振ゴムで構成された複数の防振装置が介装され、各防振装置によりインナーラックを宙に浮かせるように弾性的に支持するようにしている。これにより、機器収納用ラックは、外部から振動や衝撃を受けても、この振動や衝撃を内部に伝わらないようにして、機器収納用ラックの内部に収納されている各種の機器を保護している。
【先行技術文献】
【特許文献】
【０００４】
【特許文献１】特開２０１４−７５５０６号公報
【発明の概要】
【発明が解決しようとする課題】
【０００５】
上述した特許文献１に開示の機器収納用ラックは、アウターラックとインナーラックとの間の各コーナー、又は各コーナーの付近に介装させた防振ゴムにより、インナーラックを弾性的に支持している。これにより、外部から振動や衝撃を受けても、この振動や衝撃を内部に伝わらないようにして、機器収納用ラックの内部に収納されている各種の機器を保護している。
【０００６】
一般的に、運搬、移動時等で発生する振動や衝撃には、各コーナー、又は各コーナーの付近に介装させた防振ゴムにより、インナーラックを弾性的に支持することで、この振動や衝撃を内部に伝わらないようにすることは可能である。
【０００７】
しかし、機器収納用ラックが落下した場合には、ラックが受ける衝撃は、運搬、移動時等で発生する振動や衝撃に比べて激しい。一般的に、この落下した場合の衝撃を吸収するためには、インナーラックを囲うような十分に大型の防振ゴム等の弾性部材が必要になる。このため、機器収納用ラックの大型化、質量の増加が発生し、機器収納用ラックの可搬性が損なわれるといった問題がある。
【０００８】
本発明の目的は、上記課題を解決して、落下する等の、より大きな衝撃が加わった場合にも、可搬性を損なわずに、内部に収納した各種機器を衝撃から保護することができる収納ラックを提供することである。
【課題を解決するための手段】
【０００９】
本発明の収納ラックは、箱型形状の稜線の部分に、前記稜線に沿った方向に前記箱型形状の外側に向けた湾曲形状を有するアウターフレームと、前記アウターフレームの内部に配置し、各種の機器を収納するインナーケースと、前記アウターフレームの前記インナーケース側に配置し、前記インナーケースを支持する複数の弾性部材と、を備えている。
【発明の効果】
【００１０】
本発明によれば、落下する等の、より大きな衝撃が加わった場合にも、可搬性を損なわずに、内部に収納した各種機器を衝撃から保護することができる収納ラックを提供することができる。
【図面の簡単な説明】
【００１１】
【図１】本発明の第１の実施の形態に係る収納ラックの一例を示す斜視図である。
【図２】本発明の第２の実施の形態に係る収納ラックの一例を示す斜視図である。
【図３】本発明の第２の実施の形態の収納ラックの一例を示す正面図である。
【図４】本発明の第２の実施の形態の収納ラックの一例を示す側面図である。
【図５】本発明の第２の実施の形態の収納ラックの一例を示す平面図である。
【図６】図３の収納ラックの一例を示す正面図においてＡ方向から見た断面図である。
【発明を実施するための形態】
【００１２】
次に、本発明の実施の形態について図面を参照して説明する。
（第１の実施の形態）
図１は、本発明の第１の実施の形態に係る収納ラックの一例を示す斜視図である。
【００１３】
本実施の形態に係る収納ラック１は、アウターフレーム２と、インナーケース３と、複数の弾性部材４とにより構成される。
【００１４】
アウターフレーム２は、箱型形状の稜線の部分に、稜線に沿った方向にこの箱型形状の外側に向けた凸形状の緩やかな湾曲形状を有する。インナーケース３は、アウターフレーム２の内部に配置され、各種の機器を収納する。各種の機器とは、例えば、通信機器、電子機器等である。複数の弾性部材４は、アウターフレーム２のインナーケース３側に配置し、インナーケース３を支持する。
【００１５】
この収納ラック１を、屋外で使用する場合、収納ラック１を使用する場所まで搬送して設置する。収納ラック１の搬送時に収納ラック１が、例えば地面に落下した場合、アウターフレーム２が撓み、弾性部材４を介してインナーケース３に衝撃が加わる。アウターフレーム２は、箱型形状の稜線の部分に、湾曲形状を有している。このため、収納ラック１が、正面、又は裏面（長手方向）から落下した場合、アウターフレーム２の長手方向の湾曲部分が湾曲した方向に撓む。収納ラック１が、側面、上面、又は下面（短手方向）から落下した場合、アウターフレーム２の短手方向の湾曲部分が湾曲した方向に撓む。また、収納ラック１が、角の部分や箱型形状の稜線の部分から落下した場合、これらの部分にそれぞれ対応するアウターフレーム２の長手方向、及び短手方向の湾曲部分が湾曲した方向にそれぞれ撓む。アウターフレーム２が撓む際にアウターフレーム２によって衝撃のエネルギーが消費される。また、アウターフレーム２のインナーケース３側に配置された複数の弾性部材４によっても衝撃のエネルギーが吸収される。このため、インナーケース３への衝撃が緩和される。
【００１６】
このように、本発明の第１の実施の形態によれば、アウターフレームは、箱型形状の稜線の部分に、稜線に沿った方向にこの箱型形状の外側に向けた凸形状の緩やかな湾曲形状を有する。また、アウターフレームのインナーケース側に弾性部材を配置し、インナーケースを支持する。このため、収納ラックの搬送時に収納ラックが落下する等の、収納ラックに大きな衝撃が加わった場合、アウターフレームの湾曲部分が撓み衝撃のエネルギーが消費される。このとき、弾性部材は、アウターフレームのインナーケース側に配置されインナーケースを支持するのみであり、インナーケースを囲う等の大型でない。すなわち
大型の弾性部材を使用せずに、アウターフレームの湾曲部分で落下衝撃のエネルギーを吸収する。このため、収納ラックが落下する等の、収納ラックに大きな衝撃が加わっても、インナーケースへの衝撃が緩和され、可搬性を損なわずに、インナーラック内に収容された各種の機器をこの衝撃から保護することができる。
（第２の実施の形態）
図２は、本発明の第２の実施の形態に係る収納ラックの一例を示す斜視図である。
【００１７】
本発明の第２の実施の形態は、第１の実施の形態の収納ラック１のアウターフレーム２をフレーム部材５とフレーム部材接続部８により構成してより具体化したものである。主に第１の実施の形態と相違する部分について説明する。
【００１８】
本実施の形態に係る収納ラック１は、アウターフレーム２と、インナーケース３と、複数の弾性部材４とにより構成される。
【００１９】
アウターフレーム２は、複数のフレーム部材５（第１のフレーム部材６、第２のフレーム部材７）と、複数のフレーム部材接続部８とにより構成される。アウターフレーム２は箱型の形状であり、複数のフレーム部材５はこの箱型形状の角間に配置し、箱型形状の稜線に沿った方向に箱型形状の外側に向けて湾曲形状を有する。複数のフレーム部材５は、１２本有り、長手方向のフレーム部材（第１のフレーム部材６）は、４本。短手方向のフレーム部材（第２のフレーム部材７）は、８本である。複数のフレーム部材接続部８は８個有り、箱型形状の角部に配置し、フレーム部材５を接続する。
【００２０】
複数の弾性部材４は、箱型形状の側面の稜線部分の各フレーム部材（各第１のフレーム部材６）にそれぞれ接続され、２か所でインナーケース３を支持している。各弾性部材４の各第１のフレーム部材６への接続か所は２か所にこだわることなく、実験等により、適宜支持数を変えて良い。弾性部材４は、振動、衝撃吸収性のあるラバーを含む部材である。弾性部材４は、振動、衝撃吸収性のあるものであればラバーにこだわることなく何でも良い。
【００２１】
ここで、収納ラック１を屋外の使用する場所まで搬送する動作について、図３、図４、図５及び図６を使用して説明する。
【００２２】
図３は、本発明の第２の実施の形態の収納ラックの一例を示す正面図（正面又は裏面から見た図）である。アウターフレーム２の、箱型形状の正面及び裏面の稜線の部分のフレーム部材（第２のフレーム部材７）は、正面又は裏面から見て箱型形状の四角形の外側に向かった湾曲形状を有している。また、アウターフレーム２の、箱型形状の側面の稜線の部分のフレーム部材（第１のフレーム部材６）は、正面又は裏面から見て箱型形状の角の方向に外側に向かった湾曲形状を有している。図３では第１のフレーム部材６の湾曲した部分が見えている。弾性部材４は、第１のフレーム部材６に接続され、インナーケース３を支持している。
【００２３】
図４は、本発明の第２の実施の形態の収納ラックの一例を示す側面図である。アウターフレーム２の、箱型形状の側面の稜線の部分のフレーム部材（第１のフレーム部材６）は、正面又は裏面から見て箱型形状の角の方向に外側に向かった湾曲形状を有している。このため、側面から見ても四角形の外側に向かって湾曲している。複数の弾性部材４は、第１のフレーム部材６にそれぞれ接続され、２か所でインナーケース３を支持している。
【００２４】
図５は、本発明の第２の実施の形態の収納ラックの一例を示す平面図（上側から見た図）である。アウターフレーム２の、第１のフレーム部材６は、箱型形状の正面又は裏面から見て箱型形状の角の方向に外側に向かった湾曲形状を有している。このため、上側から見ても四角形の外側に向かって湾曲している。弾性部材４は、第１のフレーム部材６に接続され、２か所でインナーケース３を支持している。
【００２５】
図６は、図３の収納ラックの一例を示す正面図においてＡ方向から見た断面図である。この図は、矢印（Ａ）の方向から見た場合の、図３の紙面の手前側から奥の方向への断面を示している。弾性部材４は、第１のフレーム部材６に接続され、２か所でインナーケース３を支持している。
【００２６】
最初に、この収納ラック１を、屋外で使用する場合、収納ラック１を使用する場所まで搬送する。この搬送時にアウターフレーム２が搬送によって発生する振動を受ける。このとき、アウターフレーム２のインナーケース３側に配置された複数の弾性部材４により、この振動が吸収される。
【００２７】
次に、収納ラック１の搬送時に収納ラック１が、例えば地面に落下した場合、アウターフレーム２が撓み、弾性部材４を介してインナーケース３に衝撃が加わる。アウターフレーム２は、箱型形状の稜線の部分に、湾曲形状を有する第１のフレーム部材６と、第２のフレーム部材７を備える。このため、収納ラック１が、正面、又は裏面（長手方向）から落下した場合、アウターフレーム２の長手方向の湾曲部分（第１のフレーム部材６）が、湾曲した方向（凸方向）に撓む。すなわち、図６で示す第１のフレーム部材６が、湾曲した方向（凸方向）に撓む。これに基づき、弾性部材４は第１のフレーム部材６の長手方向に圧縮される。第１のフレーム部材６が撓む際に第１のフレーム部材６によって衝撃のエネルギーが消費（吸収）される。また、第１のフレーム部材６に接続された弾性部材４の圧縮によっても衝撃のエネルギーが消費（吸収）される。
【００２８】
また、収納ラック１が、側面、上面、又は下面（短手方向）から落下した場合、アウターフレーム２の短手方向の湾曲部分（第２のフレーム部材７）が、湾曲した方向（凸方向）に撓む。すなわち、図３で示す第２のフレーム部材７が、湾曲した方向（凸方向）に撓む。第２のフレーム部材７が撓む際に第２のフレーム部材７によって衝撃のエネルギーが消費（吸収）される。また、収納ラック１の落下により発生した収納ラック１への振動、衝撃は、複数の弾性部材４に伝わり、この弾性部材４によっても振動、衝撃のエネルギーが吸収される。
【００２９】
また、収納ラック１が、角の部分や箱型形状の稜線の部分から落下した場合、これらの部分にそれぞれ対応するアウターフレーム２の長手方向、及び短手方向の湾曲部分（第１のフレーム部材６、及び第２のフレーム部材７）が湾曲した方向（凸方向）にそれぞれ撓む。そして、第１のフレーム部材６、及び第２のフレーム部材７が撓む際にこれらのフレームによって衝撃のエネルギーが消費（吸収）される。また、第１のフレーム部材６の湾曲した方向への撓みに基づき、弾性部材４は第１のフレーム部材６の長手方向に圧縮される。この圧縮によっても衝撃のエネルギーが消費（吸収）される。また、収納ラック１の落下により発生した収納ラック１への振動、衝撃は、複数の弾性部材４に伝わり、この弾性部材４によっても振動、衝撃のエネルギーが吸収される。このため、インナーケース３への衝撃が緩和される。
【００３０】
このように、本発明の第２の実施の形態によれば、第１の実施の形態により得られる効果に加えて、次の効果がある。すなわち、本発明の第２の実施の形態によれば、落下した際に、第１のフレーム部材が、湾曲した方向（凸方向）に撓む。これに基づき、弾性部材は第１のフレーム部材の長手方向に圧縮される。このため、アウターフレームの湾曲部分の撓みに基づく衝撃のエネルギーの消費に加えて、第１のフレーム部材に接続された弾性部材の圧縮によっても衝撃のエネルギーが消費されるので、インナーケースへの衝撃をより緩和することができる。
【符号の説明】
【００３１】
１  収納ラック
２  アウターフレーム
３  インナーケース
４  弾性部材
５  フレーム部材
６  第１のフレーム部材
７  第２のフレーム部材
８  フレーム部材接続部
【図１】
0006258902.tif 000002
【図２】
0006258902.tif 000003
【図３】
0006258902.tif 000004
【図４】
0006258902.tif 000005
【図５】
0006258902.tif 000006
【図６】
0006258902.tif 000007